(57)【要約】【課題】高精細映像を簡易な構成で表示することのできる映像表示装置を提供する。【解決手段】映像表示装置（１０）は、全体で１つの映像パターン（Ｐ）を表示可能にマトリクス状に配置された複数の表示部（１６）と、映像パターン（Ｐ）を発生する発生部（１２）と、映像パターン（Ｐ）をマトリクス状に分割した複数の領域パターン（Ｐｎ）をそれぞれ複数の表示部（１６）に割り当てて配る分配部（１４）とを備える。発生部（１２）では、第１画素数で映像パターン（Ｐ）が形成され、分配部（１４）では、映像パターン（Ｐ）と精細度が同じのまま第１画素数よりも少ない第２画素数で領域パターン（Ｐｎ）が形成される。そして、各表示部１６の画素数が第２画素数であり、複数の表示部（１６）全体で第１画素数の映像パターン（Ｐ）が表示される。【選択図】図１
0003199043.tif 000002
【実用新案登録請求の範囲】
【請求項１】
全体で１つの映像パターンを表示可能にマトリクス状に配置された複数の表示部と、
前記映像パターンを発生する発生部と、
前記映像パターンをマトリクス状に分割した複数の領域パターンをそれぞれ前記複数の表示部に割り当てて配る分配部と、を備え、
前記発生部では、第１画素数で前記映像パターンが形成され、
前記分配部では、前記映像パターンと精細度が同じのまま前記第１画素数よりも少ない第２画素数で前記領域パターンが形成され、
各前記表示部の画素数が前記第２画素数であり、前記複数の表示部全体で前記第１画素数の前記映像パターンが表示されることを特徴とする映像表示装置。
【請求項２】
請求項１記載の映像表示装置において、
前記発生部では、画素数が８Ｋ対応の前記映像パターンが形成され、
前記分配部では、前記領域パターンを４行４列のマトリクス状に配置するよう前記映像パターンが１６分割され、
画素数が２Ｋ対応の前記表示部が、４行４列のマトリクス状に１６台配置されることを特徴とする映像表示装置。
【請求項３】
請求項１または２記載の映像表示装置において、
前記発生部から前記分配部へ前記映像パターンをＬＶＤＳ方式によって伝送するＬＶＤＳケーブルを備え、
ＬＶＤＳ方式に対応して、前記発生部が送信素子を含み、前記分配部が受信素子を含むことを特徴とする映像表示装置。
【請求項４】
請求項１〜３のいずれか一項に記載の映像表示装置において、
前記分配部から前記表示部へ前記領域パターンをＨＤＭＩ方式によって伝送するＨＤＭＩケーブルを備え、
前記分配部は、前記複数の領域パターンをＨＤＭＩ方式に対応する信号へそれぞれ変換する複数の変換素子を含むことを特徴とする映像表示装置。
【考案の詳細な説明】
【技術分野】
【０００１】
本考案は、映像表示装置に適用して有効な技術に関する。
【背景技術】
【０００２】
特開２０１３−１４３７０９号公報（以下、「特許文献１」という。）には、画素数が４Ｋに対応する１つの画像を４台の表示装置に分割表示する技術が記載されている。
【先行技術文献】
【特許文献】
【０００３】
【特許文献１】特開２０１３−１４３７０９号公報
【考案の概要】
【考案が解決しようとする課題】
【０００４】
高精細度テレビジョン（ＨＤＴＶ；High Definition Television）放送に対応するテレビのように、１９２０×１０８０画素数（以下、２Ｋという。）の映像表示装置が普及している。そして、２Ｋ映像の４倍の３８４０×２１６０画素数（以下、４Ｋという。）の４Ｋ映像や、２Ｋ映像の１６倍の７６８０×４３２０画素数（以下、８Ｋという。）の８Ｋ映像の映像技術において、それぞれに対応する装置が開発されている。４Ｋ映像の装置についてはこれから普及が本格化していくものと考えられるが、８Ｋ映像の装置については市場のニーズが少なく、８Ｋ映像で撮像できたとしても、それを表示するための表示装置が未だ少ないのが現状である。
【０００５】
本考案の目的は、高精細映像を簡易な構成で表示することのできる映像表示装置を提供することにある。本考案の前記ならびにその他の目的と新規な特徴は、本明細書の記述および添付図面から明らかになるであろう。
【課題を解決するための手段】
【０００６】
本願において開示される考案のうち、代表的なものの概要を簡単に説明すれば、次のとおりである。本考案の一解決手段に係る映像表示装置は、全体で１つの映像パターンを表示可能にマトリクス状に配置された複数の表示部と、前記映像パターンを発生する発生部と、前記映像パターンをマトリクス状に分割した複数の領域パターンをそれぞれ前記複数の表示部に割り当てて配る分配部と、を備え、前記発生部では、第１画素数で前記映像パターンが形成され、前記分配部では、前記映像パターンと精細度が同じのまま前記第１画素数よりも少ない第２画素数で前記領域パターンが形成され、各前記表示部の画素数が前記第２画素数であり、前記複数の表示部全体で前記第１画素数の前記映像パターンが表示されることを特徴とする。これによれば、高画素数（第１画素数）の表示部でなくとも、低画素数（第２画素数）の表示部をマトリクス状に複数配置することで、高精細映像を簡易な構成で表示することができる。
【０００７】
また、前記一解決手段に係る映像表示装置において、前記発生部では、画素数が８Ｋ対応の前記映像パターンが形成され、前記分配部では、前記領域パターンを４行４列のマトリクス状に配置するよう前記映像パターンが１６分割され、画素数が２Ｋ対応の前記表示部が、４行４列のマトリクス状に１６台配置されることがより好ましい。このように、８Ｋ対応の表示部でなくとも、２Ｋ対応の表示部をマトリクス状に複数配置することで、８Ｋ映像を簡易な構成で表示することができる。
【０００８】
また、前記一解決手段に係る映像表示装置において、前記発生部から前記分配部へ前記映像パターンをＬＶＤＳ方式によって伝送するＬＶＤＳケーブルを備え、ＬＶＤＳ方式に対応して、前記発生部が送信素子を含み、前記分配部が受信素子を含むことがより好ましい。これによれば、電圧振幅の小さい信号を差動方式で伝送するため、データ伝送の高速化を図ることができる。
【０００９】
また、前記一解決手段に係る映像表示装置において、前記分配部から前記表示部へ前記領域パターンをＨＤＭＩ（登録商標）方式によって伝送するＨＤＭＩケーブルを備え、前記分配部は、前記複数の領域パターンをＨＤＭＩ方式に対応する信号へそれぞれ変換する複数の変換素子を含むことがより好ましい。これによれば、領域パターン（デジタル信号）を非圧縮で伝送することができる。また、デジタル信号への領域パターンの変換を並列処理することができ、データ伝送の高速化を図ることができる。
【考案の効果】
【００１０】
本願において開示される考案のうち、代表的なものによって得られる効果を簡単に説明すれば、次のとおりである。本考案の一解決手段の映像表示装置によれば、高精細映像を簡易な構成で表示することができる。
【図面の簡単な説明】
【００１１】
【図１】本考案の一実施形態に係る映像表示装置の構成を説明するための図である。
【図２】図１に示す映像表示装置の発生部を説明するための図である。
【図３】図１に示す映像表示装置の分配部を説明するための図である。
【考案を実施するための形態】
【００１２】
以下の本考案における実施形態では、全図において、同一の機能を有する部材には同一の符号を付し、その繰り返しの説明は省略する。また、構成要素の数（個数、数値、量、範囲などを含む）については、特に明示した場合や原理的に明らかに特定の数に限定される場合などを除き、その特定の数に限定されるものではなく、特定の数以上でも以下でも良い。また、構成要素などの形状に言及するときは、特に明示した場合および原理的に明らかにそうではないと考えられる場合などを除き、実質的にその形状などに近似または類似するものなどを含むものとする。
【００１３】
本考案に係る映像表示装置１０について、図１〜図３を参照して説明する。図１は、映像表示装置１０の構成を説明するための図であり、図２および図３はそれぞれ映像表示装置１０の発生部１２および分配部１４の説明図である。
【００１４】
映像表示装置１０は、全体で１つの映像パターンＰを表示可能にマトリクス状に配置された複数の表示部１６（例えば、パネルモニタ）を備える。図１では、映像パターンＰとして、例えば、３つの輪を連結するように重ねられたものが表示されている。また、映像表示装置１０は、映像パターンＰを発生する発生部１２と、映像パターンＰをマトリクス状に分割した複数の領域パターンＰｎ（本実施形態では、ｎは１〜１６の自然数）をそれぞれ複数の表示部１６に割り当てて配る分配部１４とを備える。また、映像表示装置１０は、発生部１２から分配部１４へ映像パターンＰを伝送するケーブル１８と、分配部１４から表示部１６へ領域パターンＰｎを伝送するケーブル２０とを備える。なお、映像表示装置１０は、複数の表示部１６のそれぞれに対応して複数のケーブル２０（図１中、表示部１６の裏側では破線で示す。）を備える。
【００１５】
ここで、発生部１２では、第１画素数で映像パターンＰが形成され、分配部１４では、映像パターンＰと精細度が同じのまま第１画素数よりも少ない第２画素数で領域パターンＰｎが形成される。そして、映像表示装置１０では、各表示部１６の画素数が第２画素数であり、複数の表示部１６全体で第１画素数の映像パターンＰが表示される。これによれば、高画素数（第１画素数）の表示部でなくとも、低画素数（第２画素数）の表示部１６をマトリクス状に複数配置することで、高精細映像を簡易な構成で表示することができる。
【００１６】
本実施形態に係る映像表示装置１０において、発生部１２では、例えば８Ｋ対応の７６８０×４３２０画素数（第１画素数）の映像パターンＰが形成される。また、分配部１４では、領域パターンＰｎを４行４列のマトリクス状に配置するよう映像パターンＰが１６分割され、映像パターンＰと精細度が同じのまま７６８０×４３２０画素数よりも少ない例えば２Ｋ対応の１９２０×１０８０画素数（第２画素数）で領域パターンＰｎが形成される。そして、映像表示装置１０では、画素数が２Ｋ対応の表示部１６が、４行４列のマトリクス状に１６台配置される。このように、８Ｋ対応の表示部でなくとも、２Ｋ対応の表示部１６をマトリクス状に複数配置することで、８Ｋ映像を簡易な構成で表示することができる。
【００１７】
発生部１２および分配部１４について具体的に説明する。発生部１２は、図２に示すように、パターン発生ボード２２（Pattern Generator Board）と、拡張インターフェースボード２４（Extendable I/F Board）およびバックプレーンボード２６（Back Plane Board）とを備える。パターン発生ボード２２は、映像パターンＰを記憶する記憶素子２８（例えば、ＤＤＲ；Double-Data-Rate）と、記憶素子２８から映像パターンＰを読み出し、分配部１４へ映像パターンＰを送信する送信素子３０（例えば、ＦＰＧＡ；Field-Programmable Gate Array）とを備え、記憶素子２８および送信素子３０が実装されている。発生部１２では、バックプレーンボード２６を用いた拡張インターフェースボード２４を介してパターン発生ボード２２から映像パターンＰが送信（出力）される。また、分配部１４は、図２および図３に示すように、インターフェース機能付きの映像ボード３２を備える。そして、映像ボード３２は、発生部１２から映像パターンＰを受信する受信素子３４（例えば、ＦＰＧＡ）を備え、受信素子３４が実装されている。
【００１８】
本実施形態では、発生部１２と分配部１４との間の映像パターンＰの伝送は、ＬＶＤＳ（Low Voltage Differential Signaling）方式によって行われる。このため、映像表示装置１０は、ケーブル１８として、発生部１２から分配部１４へ映像パターンＰをＬＶＤＳ方式によって伝送するＬＶＤＳケーブル１８を備える。ＬＶＤＳケーブル１８は、例えば、６．４Ｇｂｐｓ／Ｌａｎｅ、１０Ｌａｎｅで構成されるものである。この場合、発生部１２の能力は、例えば、５０Ｇｂｐｓである。また、ＬＶＤＳ方式に対応して、発生部１２が送信素子３０を含み、分配部１４が受信素子３４を含む。
【００１９】
これによれば、映像パターンＰとして電圧振幅の小さい信号を差動方式で伝送するため、データ伝送の高速化を図ることができる。また、ＦＰＧＡを用いることで、映像パターンＰの画素数にあわせて、ロジック（データ構造）を構築したり、帯域の異なるもの（画素数が多くなると高帯域となる）を載せ替えたりする（アッパーコンパチブルとする）こともできる。また、ＬＶＤＳケーブル１８では、非圧縮で伝送することができ、ブロックノイズの発生を防止している。
【００２０】
また、本実施形態では、分配部１４と表示部１６との間の領域パターンＰｎの伝送は、ＨＤＭＩ（High-Definition Multimedia Interface）方式によって行われる。このため、映像表示装置１０は、ケーブル２０として、分配部１４から表示部１６へ領域パターンＰｎをＨＤＭＩ方式によって伝送するＨＤＭＩケーブル２０を備える。また、分配部１４は、複数の領域パターンＰｎをＨＤＭＩ方式に対応するデジタル信号へそれぞれ変換する複数の変換素子３６を含む。これによれば、領域パターンＰｎ（デジタル信号）を非圧縮で伝送することができる。また、デジタル信号への領域パターンＰｎの変換を並列処理することができ、データ伝送の高速化を図ることができる。例えば、各表示部１６において左上を先頭にして走査させる場合、複数の表示部１６に同時に所定数の画素データをパックして伝送することができる。
【００２１】
以上、本考案を実施形態に基づき具体的に説明したが、本考案は前記実施形態に限定されるものではなく、次のとおり、その要旨を逸脱しない範囲で種々変更可能であることはいうまでもない。
【００２２】
前記実施形態では、領域パターンを４行４列のマトリクス状に配置するよう８Ｋの映像パターンが１６分割され、２Ｋの表示部が４行４列のマトリクス状に１６台配置される場合について説明した。これに限らず、領域パターンを２行２列のマトリクス状に配置するよう８Ｋの映像パターンが４分割され、４Ｋの表示部が２行２列のマトリクス状に４台配置される場合であってもよい。このように表示部の画素数によって映像パターンの分割数を変えるだけで高精細映像を表示する映像表示装置を簡易に構成することができる。
【００２３】
また、前記実施形態では、静止画として映像パターンを記憶素子に記憶させておき、送信素子によって記憶素子から映像パターンを読み出し、分配部へ映像パターンを送信する場合について説明した。これに限らず、例えば、放送局から送られてくる符号化された映像パターン（動画）を復号する復号部を備え、この復号部から映像パターンを読み出し、分配部へ映像パターンを送信する場合であってもよい。すなわち、本考案に係る映像表示装置は、静止画も動画も表示することができる。
【００２４】
また、前記実施形態では、８Ｋの映像パターンを発生部で形成する場合について説明した。これに限らず、他の高精細画素数の映像パターンを形成する場合であってもよい。この場合、例えば、発生部が備える送信素子（ＬＶＤＳ）や発振部（水晶）を載せ替えるだけでも対応することができる。
【符号の説明】
【００２５】
１０  映像表示装置
１２  発生部          
１４  分配部
１６  表示部
１８  ケーブル（ＬＶＤＳケーブル）
２０  ケーブル（ＨＤＭＩケーブル）
２２  パターン発生ボード
２４  拡張インターフェースボード
２６  バックブレーンボード
２８  記憶素子
３０  送信素子
３２  映像ボード
３４  受信素子
３６  変換素子
【図１】
0003199043.tif 000003
【図２】
0003199043.tif 000004
【図３】
0003199043.tif 000005